(57)【要約】合流式下水道越流系に使用するための越流チャンバ（２）を提供する。入口（１２）と出口（１４）はスクリーン（２０）より下のチャンバ（２）に開いており、越流出口（１５）はスクリーンよりも上のチャンバに開いている。バッフル（２６）がスクリーン（２０）の下側に雨水の流れを横切るようにして設けられている。激しい雨の状態では、チャンバ（２）内の雨水がスクリーン（２０）の高さまで達する。スクリーンは見た目に好ましくない物質や大きな固体を捕獲し、水を通して越流出口（１５）へと流す。バッフル（２６）は雨水を循環させ、このことによってスクリーン（２０）の下側に蓄積している物質を除去し、激しい雨の状態におけるスクリーン（２０）の目詰まりを防ぐ助けとなる。
2005537409.tif 000002
【特許請求の範囲】
【請求項１】
入口及び出口と、前記入口及び出口よりも上に配置されているスクリーンと、前記スクリーンよりも上に配置されている越流出口とを備える越流チャンバであって、少なくとも１枚のバッフルが前記スクリーンよりも下の前記チャンバに設けられ、該バッフルは前記入口と前記出口との間の主流れ方向を横切って延出している、越流チャンバ。
【請求項２】
前記バッフルが少なくとも２枚のバッフルのうちの１枚である、請求項１記載の越流チャンバ。
【請求項３】
前記バッフル又は各バッフルがスクリーンに固定され、該スクリーンから下方に突出している、請求項１又は２に記載の越流チャンバ。
【請求項４】
前記バッフル又は各バッフルが前記チャンバの床の手前で終了している、請求項１〜３のいずれか１項に記載の越流チャンバ。
【請求項５】
前記バッフル又は各バッフルが、前記スクリーンの垂直方向の深さの約３倍垂直方向に延びている、請求項４記載の越流チャンバ。
【請求項６】
前記バッフル又は各バッフルが平坦な矩形状の板を備える、請求項１〜５のいずれか１項に記載の越流チャンバ。
【請求項７】
前記入口及び前記出口が前記チャンバの両側に配置されている、請求項１〜６のいずれか１項に記載の越流チャンバ。
【請求項８】
前記出口の流れの断面が前記入口の流れの断面よりも小さい、請求項１〜７のいずれか１項に記載の越流チャンバ。
【請求項９】
添付図面を参照して本明細書中に実質的に記載され、また該添付図面に実質的に示されている、越流チャンバ。
【発明の詳細な説明】
【説明】
【０００１】
本発明は越流チャンバに関し、特に、排他的ではないが、合流式下水道越流系（combined sewer overflow：ＣＳＯ）に使用するための越流チャンバに関する。本発明はまた、このような越流チャンバで使用するためのスクリーン（網）にも関する。
【０００２】
スクリーンによって水平方向に分割されたチャンバを備えるＣＳＯが知られている。入口と出口はスクリーンより下のチャンバに開いており、越流出口はスクリーンより上のチャンバに開いている。入口は、出口よりも径が大きい。通常の動作では、汚水や雨水は比較的少ない流量で入口を通ってチャンバへと流入し、出口を通って汚水システムへと流れる。
【０００３】
激しい雨の状態では、入口を通る雨水の流量は出口が受け取るよりも多い。したがって水や汚水がチャンバ内に蓄積する。最終的には、チャンバ内の雨水がスクリーンの高さに達する。このスクリーンは、見た目に好ましくない物質や大きな固体を捕獲するが、水を通して越流出口へと流す。雨が弱まりチャンバの水位がスクリーンより下に下降すると、スクリーンに蓄積した固体が落ち、残りの水と一緒に出口を通って汚水システムへと流れる。
【０００４】
このようなスクリーンに関する問題は、降雨時に固体がスクリーンに蓄積し、そのことによってスクリーンが完全に又は部分的に「目詰まり」して水を通す能力が減少してしまう場合があることである。このような状況下では、水やこれに混入した大きな固体が緊急用のバイパスを通って水流へ流れてしまうことがある。
【０００５】
本発明によると、入口及び出口と、該入口及び出口よりも上に配置されているスクリーンと、該スクリーンよりも上に配置されている越流出口とを備える越流チャンバが提供されており、このチャンバには、少なくとも１枚のバッフルがスクリーンよりも下のチャンバに設けられており、該バッフルは入口と出口との間の主流れの方向（general flow direction）を横切って延びている。
【０００６】
バッフルの作用は、スクリーンよりも下のチャンバ内に一連の区画部分を形成することであり、この区画部分内で雨水が、スクリーンの下側を洗い流しそのことでスクリーンに蓄積している物質を除去するように、循環する。
【０００７】
バッフルは少なくとも２枚とすることができ、これらのバッフルはスクリーンに固定されそこから下方に突出させることができる。これらのバッフルはチャンバの床の手前で終了しているのが好ましく、例えば、スクリーンの垂直方向の深さのおよそ３倍程度垂直方向に延びていてもよい。
【０００８】
入口と出口は互いに対向してチャンバに開いていて、出口の流れの断面のほうが入口の流れの断面よりも小さいことが好ましい。
【０００９】
本発明をよりよく理解するために、また本発明をどのように実行するか示すために、例示として合流式下水道越流を示す添付図面を参照する。
【００１０】
図面に示す越流系は、ほぼ矩形状のチャンバ２を備える。このチャンバは、平面視で分かるように、端壁４、６と側壁８、１０とを備える。入口１２は端壁４に設けられており、出口１４は端壁６に設けられている。入口１２と出口１４は互いにほぼ対向しているが、出口１４のほうが入口１２よりもやや低い位置にある。チャンバ２の床１６には溝１８があり、この溝は、低流量の状態の汚水を入口１２と出口１４との間で運搬する。
【００１１】
チャンバ２にはスクリーン２０が設けられている。このスクリーンはほぼ水平方向にあり、例えば波形で孔の開いたパネルを備えることができ、このパネルには粘着性のないプラスチックコーティングが施されていてもよい。例示として、スクリーンの開口は直径（又はこれに相当する横方向の寸法）が４ｍｍである。
【００１２】
図に示すように、スクリーン２０はフレーム２２を有し、このフレームは、チャンバ２の壁４、６、８、１０の少なくとも幾つかに固定されている。スクリーン２０は端壁４の手前で終了しており、そちら側の端部には堰板２４が設けられている。バッフル２６がスクリーン２０の下側に設けられており、スクリーン２０のほぼ全幅に延びている。バッフル２６は垂直方向に配置されており、チャンバ２の床１６の手前で終了している。バッフル２６のうちの２枚は、スクリーン２０の全長に沿ってほぼ等間隔で配置されるように設けられている。バッフル２６が、チャンバ２のスクリーン２０より下側の領域を、長さのほぼ等しい３つの区画部分２８に分割していることが理解されるであろう。これらの区画部分は、バッフル２６の下縁と床１６との間に残る間隙を通じて互いに連通している。
【００１３】
チャンバは、入口１２が汚水や雨水を受けるように接続され、出口が汚水システムの下流の構成要素に接続されるように、汚水システムに設置されている。越流出口１５は、例えば河川又は他の水流へと放出するように接続されている。
【００１４】
通常の流量の状態では、システムに入ってくる汚水や例えば僅かな降雨などのその他の水は、入口１２を通って溝１８に沿って出口１４へと流れる。例えば激しい雨の状態などのより流量の多い場合は、出口１４のより小さな流れの断面では入口１２から入ってくる最大の流量を受けることができず、結果としてチャンバ２の水位が上昇する。水位が上昇すると、水は混入してしまった見た目に好ましくない物質や大きな固体も一緒に運ぶ。最終的に水位はスクリーン２０まで達する。このスクリーンには、固体物質を遮断し、水のみを越流出口１５や水が放出される水流へと至らせる作用がある。
【００１５】
こういった流量の多い状態では、チャンバ２内のスクリーン２０より下の流れのパターンをバッフル２６によって変更する。即ち、垂直断面で分かるように、各バッフル（及び端壁６）に衝突した流れは上方に向きを変えられ、チャンバの壁８と１０との間を横切って延びる水平方向の軸線を中心に渦巻き運動を起こす。その結果、スクリーン２０の下側では（入口１２と出口１４との間の流れの通常の方向に対して）逆流が生じ、スクリーン２０に付着した物質の多くが再度水に混入する。したがってスクリーン２０の開口の詰まりが少なくなり、それによって入口１２を通って入ってくる流れが固体物質によってひどく汚染されていたとしても水はスクリーン２０を通って流れることができる。しかしながら、非常に流量の多い状態が生じた場合、区画部分２８における循環流による排水作用にもかかわらず、スクリーンは実質的に目詰まりとなり、堰板２４が緊急時の越流を起こして最大流量の流れを入口１２から堰板２４を越流させ、スクリーン２０を通過させずに越流出口１５へと至らせる。
【００１６】
強い雨がおさまると入口１２からの流入量が減り、雨水やこれに混入している固体物質が出口１４から出るのに伴ってチャンバ２の水位も下降する。区画部分２８内の循環運動とそれに伴ってスクリーン２０の下側に定着していた固体が減った結果、チャンバ２内の固体物質の大部分が出口１４から出ることができ、スクリーン２０は比較的遮断されなくなり、次に起こる激しい雨の状態でも有効に作用することができる。
【００１７】
図ではバッフル２６は平坦な矩形状の板として示されているが、バッフルによって発生する渦巻きの効果を高めるためには別の形状の板も適している場合がある。また、どの特定のＣＳＯでも広く実行されている条件に適するように板２６の数や寸法を変えてもよいことが理解されるであろう。
【００１８】
したがって本発明は、強い雨の場合に、見た目に好ましくない物質や大きな固体が越流状態でも水流に至らないようにこれらを遮断し保持するための有効な選別を行う。バッフル２６がチャンバ２内の流れの循環パターンを増強させて、スクリーンの作用中に混入した固体による目詰まりの影響を少なくする。
【００１９】
合流式下水道越流系を参照して本発明を説明してきたが、本発明を他の用途で使用するスクリーンに適用してもよいことは理解されるであろう。
【図面の簡単な説明】
【００２０】
【図１】本発明による越流チャンバの斜視図である。
【図１】
2005537409.tif 000003
【手続補正書】
【提出日】平成16年6月14日(2004.6.14)
【手続補正１】
【補正対象書類名】特許請求の範囲
【補正対象項目名】全文
【補正方法】変更
【補正の内容】
【特許請求の範囲】
【請求項１】
入口及び出口と、前記入口及び出口よりも上に配置されているスクリーンであり、流れが、当該スクリーンを通過することなく、前記入口と前記出口との間で生ずるようになっている、前記スクリーンと、前記スクリーンよりも上に配置されている越流出口とを備える越流チャンバであって、少なくとも１枚のバッフルが前記スクリーンよりも下の前記チャンバに設けられ、該バッフルは前記入口と前記出口との間の主流れ方向を横切って延出している、越流チャンバ。
【請求項２】
前記バッフルが少なくとも２枚のバッフルのうちの１枚である、請求項１記載の越流チャンバ。
【請求項３】
前記バッフル又は各バッフルがスクリーンに固定され、該スクリーンから下方に突出している、請求項１又は２に記載の越流チャンバ。
【請求項４】
前記バッフル又は各バッフルが前記チャンバの床の手前で終了している、請求項１〜３のいずれか１項に記載の越流チャンバ。
【請求項５】
前記バッフル又は各バッフルが、前記スクリーンの垂直方向の深さの約３倍垂直方向に延びている、請求項４記載の越流チャンバ。
【請求項６】
前記バッフル又は各バッフルが平坦な矩形状の板を備える、請求項１〜５のいずれか１項に記載の越流チャンバ。
【請求項７】
前記入口及び前記出口が前記チャンバの両側に配置されている、請求項１〜６のいずれか１項に記載の越流チャンバ。
【請求項８】
前記出口の流れの断面が前記入口の流れの断面よりも小さい、請求項１〜７のいずれか１項に記載の越流チャンバ。
【請求項９】
添付図面を参照して本明細書中に実質的に記載され、また該添付図面に実質的に示されている、越流チャンバ。
【手続補正２】
【補正対象書類名】明細書
【補正対象項目名】０００５
【補正方法】変更
【補正の内容】
【０００５】
本発明によると、入口及び出口と、該入口及び出口よりも上に配置されているスクリーンであり、流れが、当該スクリーンを通過することなく、前記入口と前記出口との間で生ずるようになっている、前記スクリーンと、該スクリーンよりも上に配置されている越流出口とを備える越流チャンバが提供されており、このチャンバには、少なくとも１枚のバッフルがスクリーンよりも下のチャンバに設けられており、該バッフルは入口と出口との間の主流れの方向（general flow direction）を横切って延びている。
【国際調査報告】
2005537409.tif 000004
2005537409.tif 000005